(57)【特許請求の範囲】
【請求項１】
発光領域を区画する区画溝と、前記発光領域内に設けられた光源配置部と、上面視で前記区画溝と前記光源配置部との間に設けられた光調整孔と、を有した導光部材と、
前記光源配置部内に配置された光源と、
を備え、
前記光調整孔の内部の屈折率は前記導光部材の屈折率よりも低く、
上面視で、前記光調整孔は、前記区画溝における前記光源の中心から最も遠い部分と前記光源の中心とを結ぶ第１直線と交差する位置にあり、
前記光調整孔は、前記光源側に位置する第１側面と、前記第１側面の反対側に位置する第２側面と、を有し、
前記第１側面の少なくとも一部の法線、又は、前記第２側面の少なくとも一部の法線は、前記第１直線に平行な第１方向に対して傾斜し、
前記第１方向において、前記第１直線上における前記光調整孔の幅は、前記第１直線から離れた位置における前記光調整孔の幅よりも小さい発光モジュール。
【請求項２】
上面視で、前記発光領域の形状は矩形であり、
前記第１直線は、前記光源の中心と前記発光領域の角部とを結ぶ請求項１に記載の発光モジュール。
【請求項３】
前記光調整孔は、前記光源と前記発光領域の各角部との間にそれぞれ設けられている請求項２に記載の発光モジュール。
【請求項４】
前記光源から出射した光は、前記光調整孔において屈折する請求項１〜３のいずれか１つに記載の発光モジュール。
【請求項５】
前記光調整孔の内部は空気層である請求項１〜４のいずれか１つに記載の発光モジュール。
【請求項６】
前記光調整孔は、前記区画溝における前記光源の中心から最も近い部分と前記光源の中心とを結ぶ第２直線上には配置されていない請求項１〜５のいずれか１つに記載の発光モジュール。
【請求項７】
上面視で、前記第２側面は前記光調整孔の内部に向けて凹むように湾曲している請求項１〜６のいずれか１つに記載の発光モジュール。
【請求項８】
上面視で、前記第１側面は前記光調整孔の外部に向けて凸状に湾曲しており、
前記第１側面の曲率は、前記第２側面の曲率よりも小さい請求項７に記載の発光モジュール。
【請求項９】
前記第１側面は前記第１直線に直交する平面である請求項７に記載の発光モジュール。
【請求項１０】
上面視で、前記第１側面は前記光調整孔の内部に向けて凹むように湾曲している請求項１〜７のいずれか１つに記載の発光モジュール。
【請求項１１】
上面視で、前記光調整孔は凹レンズ形状を有する請求項１〜１０のいずれか１つに記載の発光モジュール。
【請求項１２】
前記光調整孔は、前記導光部材の上面に到達し、前記導光部材の下面から離れている請求項１〜１１のいずれか１つに記載の発光モジュール。
【請求項１３】
前記光調整孔は、前記導光部材を上下方向に貫通している請求項１〜１１のいずれか１つに記載の発光モジュール。
【請求項１４】
前記導光部材の上面における前記光源配置部の直上域に設けられ、前記光源から出射した光の一部を反射し、他の一部を透過させる光調整部材をさらに備えた請求項１〜１３のいずれか１つに記載の発光モジュール。
【請求項１５】
前記光源は、発光素子を有し、
前記発光素子は、正負一対の電極を有する第１面と、前記第１面と反対側の第２面と、を有する請求項１〜１４のいずれか１つに記載の発光モジュール。
【請求項１６】
前記発光素子は、前記第２面上に配置された遮光層をさらに有する請求項１５に記載の発光モジュール。
【請求項１７】
前記光源は、
少なくとも前記発光素子の前記第２面上に配置された透光層と、
前記透光層上に設けられた遮光膜と、
さらに有する請求項１５に記載の発光モジュール。
【請求項１８】
前記光源は、少なくとも前記発光素子の前記第２面上に配置された波長変換層をさらに有する請求項１５に記載の発光モジュール。
【請求項１９】
前記光源は、前記波長変換層上に設けられた遮光膜をさらに有する請求項１８に記載の発光モジュール。
【請求項２０】
請求項１〜１９のいずれか１つに記載の発光モジュールと、
配線基板と、
を備え、
前記導光部材は前記配線基板上に設けられており、
前記光源は前記配線基板に載置される面状光源。
【発明の詳細な説明】
【技術分野】
【０００１】
実施形態は、発光モジュール及び面状光源に関する。
【背景技術】
【０００２】
従来より、液晶ディスプレイのバックライトとして、光源と導光部材を用いた面状光源が使用されている。面状光源においては、発光面を複数の発光領域に区画し、発光領域毎に明るさを制御する技術が開発されている。各発光領域内においては、輝度ムラをできるだけ軽減したいという要求がある。
【先行技術文献】
【特許文献】
【０００３】
【特許文献１】特開２００８−５９７８６号公報
【発明の概要】
【発明が解決しようとする課題】
【０００４】
実施形態は、発光領域内の輝度ムラを軽減できる発光モジュール及び面状光源を提供することを目的とする。
【課題を解決するための手段】
【０００５】
実施形態に係る発光モジュールは、導光部材と、光源と、を備える。前記導光部材は、発光領域を区画する区画溝と、前記発光領域内に設けられる光源配置部と、上面視で前記区画溝と前記光源配置部との間に設けられる光調整孔と、を有する。前記光調整孔の内部の屈折率は前記導光部材の屈折率よりも低い。上面視で、前記光調整孔は、前記区画溝における前記光源の中心から最も遠い部分と前記光源の中心とを結ぶ第１直線と交差する位置にある。前記光調整孔は、前記光源側に位置する第１側面と、前記第１側面の反対側に位置する第２側面と、を有する。前記第１側面の少なくとも一部の法線、又は、前記第２側面の少なくとも一部の法線は、前記第１直線に平行な第１方向に対して傾斜する。前記第１方向において、前記第１直線上における前記光調整孔の幅は、前記第１直線から離れた位置における前記光調整孔の幅よりも小さい。
【０００６】
実施形態に係る面状光源は、前記発光モジュールと、配線基板と、を備える。前記導光部材は前記配線基板上に設けられている。前記光源は前記配線基板に載置されている。
【発明の効果】
【０００７】
実施形態によれば、発光領域内の輝度ムラを軽減できる発光モジュール及び面状光源を実現できる。
【図面の簡単な説明】
【０００８】
【図１】第１の実施形態に係る面状光源を示す模式上面図である。
【図２】第１の実施形態に係る面状光源の１つの発光領域を示す模式上面図である。
【図３】第１の実施形態に係る面状光源を示す断面図であり、図１に示すIII−III線による断面図である。
【図４】第２の実施形態に係る面状光源の１つの発光領域を示す模式上面図である。
【図５】第３の実施形態に係る面状光源の１つの発光領域を示す模式上面図である。
【図６】第４の実施形態に係る面状光源の１つの発光領域を示す模式上面図である。
【図７】第５の実施形態に係る面状光源の１つの発光領域を示す模式上面図である。
【図８】第１の変形例に係る面状光源を示す断面図である。
【図９】第２の変形例に係る面状光源を示す断面図である。
【図１０】第３の変形例に係る面状光源を示す断面図である。
【図１１】第４の変形例に係る面状光源を示す断面図である。
【図１２】第５の変形例に係る発光モジュールを示す断面図である。
【図１３Ａ】第６の変形例における光源を示す断面図である。
【図１３Ｂ】第７の変形例における光源を示す断面図である。
【図１３Ｃ】第８の変形例における光源を示す断面図である。
【図１４Ａ】第９の変形例における光源を示す断面図である。
【図１４Ｂ】第１０の変形例における光源を示す断面図である。
【図１４Ｃ】第１１の変形例における光源を示す断面図である。
【発明を実施するための形態】
【０００９】
＜第１の実施形態＞
先ず、第１の実施形態について説明する。
図１は、本実施形態に係る面状光源を示す上面図である。
図２は、本実施形態に係る面状光源の１つの発光領域を示す上面図である。
図３は、本実施形態に係る面状光源を示す断面図であり、図１に示すIII−III線による断面図である。
【００１０】
図１〜図３に示すように、本実施形態に係る面状光源１においては、配線基板２００が設けられており、配線基板２００上に発光モジュール１００が設けられている。発光モジュール１００においては、導光部材２０と、光源３０が設けられている。導光部材２０は配線基板２００上に設けられており、光源３０は配線基板２００に載置されている。
【００１１】
配線基板２００においては、絶縁性の母材２０１内に、配線層２０２及び配線層２０２と光源３０とを電気的に接続する接続層２０３が設けられている。図３においては、配線層２０２は１層しか示されていないが、配線層２０２は複数層設けられていてもよい。配線基板２００と導光部材２０との間には、接着シート２０５及び光反射性シート２０６が設けられている。接着シート２０５は、配線基板２００と光反射性シート２０６とを接着している。光反射性シート２０６は、光源３０から出射した光の一部を反射する。
【００１２】
光反射性シート２０６には、多数の気泡を含む樹脂シート（例えば発泡樹脂シート）や、光拡散材を含む樹脂シート等を用いることができる。これら光反射性シート２０６に用いられる樹脂としては、例えば、アクリル樹脂、ポリカーボネート樹脂、環状ポリオレフィン樹脂、ポリエチレンテレフタレート樹脂若しくはポリエステル樹脂等の熱可塑性樹脂、又は、エポキシ樹脂若しくはシリコーン樹脂等の熱硬化性樹脂を用いることができる。また、光拡散材としては、酸化チタン、シリカ、アルミナ、酸化亜鉛又はガラス等の公知の材料を用いることができる。
【００１３】
ただし、配線基板２００の上面には、光源３０から出射した光に対して光反射性を有する光反射層がさらに設けられていてもよく、この場合、接着シート２０５は光反射層に接着される。また、光反射層は、後述する導光部材２０と光反射性シート２０６の間、例えば光反射性シート２０６の上面に設けられてもよい。これにより、光源３０から出射された導光部材２０内を伝播する光の一部を、光反射層が散乱させることにより、導光部材２０の上面から取り出されやすくすることができる。このような光反射層の形状は、膜状であってもよく、ドット状であってもよい。また、光反射層は、上面視において、後述する導光部材２０の光源配置部２２内まで延在することができる。好ましくは、光反射層は、上面視で光源３０と重なる位置、つまり光源３０と配線基板２００との間まで延在する。これにより、光源３０から出射する光の一部が配線基板２００に吸収され、光源３０の周囲で輝度が低下することを軽減できる。
【００１４】
光反射層としては、例えば、酸化チタン、シリカ、アルミナ、酸化亜鉛又はガラス等の公知の材料からなる光拡散材を含む樹脂を用いることができる。また、光反射層に用いられる樹脂としては、光反射性シート２０６に用いられる樹脂と同様に、例えば、熱可塑性樹脂又は熱硬化性樹脂等を用いることができる。また、光反射層に用いられる樹脂としては、紫外線硬化性樹脂を用いてもよい。
【００１５】
導光部材２０は、透光性材料からなり、その形状は例えば板状である。導光部材２０に用いられる材料としては、例えば、アクリル樹脂、ポリカーボネート樹脂、環状ポリオレフィン樹脂、ポリエチレンテレフタレート樹脂若しくはポリエステル樹脂等の熱可塑性樹脂、エポキシ樹脂若しくはシリコーン樹脂等の熱硬化性樹脂、又はガラス等を用いることができる。導光部材２０には、発光領域Ｒを区画する区画溝２１と、各発光領域Ｒ内に設けられる光源配置部２２と、上面視で区画溝２１と光源配置部２２との間に設けられる光調整孔２３と、が形成されている。また、導光部材２０の厚さは、例えば、２００μｍ以上８００μｍ以下が好ましい。
【００１６】
本明細書においては、説明の便宜上、ＸＹＺ直交座標系を採用する。配線基板２００と導光部材２０の配列方向を「Ｚ方向」とし、発光領域Ｒの配列方向を「Ｘ方向」及び「Ｙ方向」とする。また、Ｚ方向のうち、配線基板２００から導光部材２０に向かう方向を「上方向」ともいい、その反対方向を「下方向」ともいうが、この表現も便宜的なものであり、重力の方向とは無関係である。また、上方向側から見ることを「上面視」という。
【００１７】
上面視で、区画溝２１の形状は、Ｘ方向及びＹ方向に延びる格子状であり、各発光領域Ｒを囲んでいる。なお、区画溝２１の形状は格子状には限定されず、複数の発光領域Ｒを実用上十分な程度に光学的に区画できていればよい。例えば、格子の交点部分には、区画溝が設けられていなくてもよく、この区画溝のない部分に隣接する各発光領域Ｒから光が集まるので、発光領域Ｒの角部周辺が暗くなることを回避できる。以下、１つの発光領域Ｒについて説明するが、他の発光領域Ｒについても同様である。
【００１８】
区画溝２１の幅は、例えば、発光領域Ｒの幅の５％以下程度とすることができる。ただし、区画溝２１内に後述する区画部材２１ａを配置する場合は、区画溝２１の幅は、区画部材２１ａの配置が容易となるような幅とすることが好ましい。また、区画溝２１は、導光部材２０の厚み方向（Ｚ方向）において、任意の割合を占めることができる。例えば、隣接する発光領域Ｒへの光漏れを抑制したい場合、区画溝２１は、導光部材２０の厚みの５０％以上を占めることが好ましく、７０％以上がさらに好ましく、９０％以上が特に好ましい。
【００１９】
後述する変形例において説明するように、区画溝２１は、導光部材２０の上面２０ａに形成されていてもよく、下面２０ｂに形成されていてもよく、導光部材２０をＺ方向に貫通していてもよく、貫通溝の一部が塞がった形状であってもよく、導光部材２０の上面２０ａ及び下面２０ｂに到達しない中空状であってもよい。中空状の区画溝２１は、例えば、上面に溝を形成した導光板と下面に溝を形成した導光板を、透光性の接着シートを用いて貼り合わせることによって形成できる。このような接着シートは、層間における界面の発生を軽減できるように、導光部材２０と同じ材料を用いることが好ましい。本実施形態においては、例えば、区画溝２１は導光部材２０の上面２０ａに形成されている。
【００２０】
また、区画溝２１の内部は空気層であってもよく、光反射性材料を含む区画部材２１ａが配置されていてもよい。光反射性材料は、例えば、光拡散材を含む樹脂又は金属を用いることができる。光反射性材料に用いられる樹脂としては、アクリル樹脂、ポリカーボネート樹脂、環状ポリオレフィン樹脂、ポリエチレンテレフタレート樹脂若しくはポリエステル樹脂等の熱可塑性樹脂、又は、エポキシ樹脂若しくはシリコーン樹脂等の熱硬化性樹脂を用いることができる。また、光拡散材としては、酸化チタン、シリカ、アルミナ、酸化亜鉛又はガラス等の公知の材料を用いることができる。また、光反射性材料に用いられる金属としては、例えば、白金（Ｐｔ）、銀（Ａｇ）、ロジウム（Ｒｈ）又はアルミニウム（Ａｌ）を用いることができる。区画部材２１ａは、区画溝２１の内面に沿って層状に形成されていてもよく、区画溝２１内の全体又は一部を埋め込んでいてもよい。区画部材２１ａの上部は導光部材２０の上面２０ａよりも上方に突出していてもよい。本実施形態においては、例えば、区画溝２１の内面上に層状の区画部材２１ａが設けられている。
【００２１】
光源配置部２２は、光源３０を配置するための空間である。すなわち、光源３０は光源配置部２２内に配置されている。後述する変形例において説明するように、光源配置部２２は、導光部材２０をＺ方向に貫通する貫通孔でもよく、導光部材２０の下面２０ｂに形成された凹部でもよい。また、本実施形態における光源配置部２２は、上面視において円形であるが、例えば、楕円形としてもよく、三角形、四角形、六角形又は八角形等の多角形としてもよい。
【００２２】
本実施形態においては、例えば、光源配置部２２は貫通孔である。そして、光源配置部２２内には、光源３０を覆うように、第１透光性部材２５が埋め込まれている。第１透光性部材２５は、例えば、透光性を有する樹脂材料を用いることができる。樹脂材料としては、導光部材２０と同様に、熱可塑性樹脂又は熱硬化性樹脂等を用いることができる。
【００２３】
第１透光性部材２５上には、第１光調整部材２６が設けられている。第１光調整部材２６は、光源３０から出射し第１透光性部材２５を透過した光の一部を反射し、他の一部を透過させる。第１光調整部材２６は、例えば、光拡散材を含む樹脂材料により形成されていてもよく、金属材料により形成されていてもよい。例えば樹脂材料として、シリコーン樹脂、エポキシ樹脂又はこれらを混合した樹脂等を用いることができる。また、光拡散材としては、酸化チタン、シリカ、アルミナ、酸化亜鉛又はガラス等の公知の材料を用いることができる。また、第１光調整部材２６には、誘電体多層膜を用いることができる。本実施形態においては、例えば、第１光調整部材２６は膜状に設けられているが、ドット状に設けられてもよい。また、本実施形態における第１光調整部材２６は、上面視で第１透光性部材２５の上面全体を覆っているが、第１透光性部材２５の上面の一部が第１光調整部材２６から露出されていてもよい。
【００２４】
一方、光源配置部２２の底部、すなわち、第１透光性部材２５の下方には、膜状の第１光反射性部材２７が設けられている。第１光反射性部材２７は、区画部材２１ａに含まれる光反射性材料と同様に、例えば、光拡散材を含む樹脂材料又は金属材料等の光を反射する材料により形成されている。
【００２５】
なお、第１光反射性部材２７の代わりに、配線基板２００上の光反射性シート２０６を、上面視において、導光部材２０の光源配置部２２内まで延在してもよい。この場合、好ましくは、光反射性シート２０６を、上面視で光源３０と重なる位置、つまり光源３０と配線基板２００との間まで延在させる。これにより、光源３０から出射する光の一部が配線基板２００に吸収されることを抑制でき、光源３０の周囲における輝度の低下を軽減できる。
【００２６】
光源３０は、発光素子単体でもよく、発光素子に波長変換部材等の光学部材が組み合わされた構造体でもよい。後述する変形例において説明するように、光源３０の構成は、種々の態様を取り得る。
【００２７】
本実施形態においては、光源３０は、発光素子３１と、被覆部材３３と、第２透光性部材３４と、第２光調整部材３５とを含む。発光素子３１は、半導体構造体と、正負一対の電極とを少なくとも有する。発光素子３１は、例えば、発光ダイオード（Light Emitting Diode：ＬＥＤ）であり、例えば、青色の光を出射する。半導体構造体として、例えばＩｎｘＡｌｙＧａ１−ｘ−ｙＮ（０≦ｘ、０≦ｙ、ｘ＋ｙ≦１）を含むことができる。発光素子３１は、正負一対の電極が配置された第１面３１ａと、第１面３１ａと反対側の第２面３１ｂと、を有する。
【００２８】
発光素子３１の半導体構造体においては、例えば、ｐ型半導体層、発光層、ｎ型半導体層が少なくとも積層されることにより、発光ダイオード構造が実現されている。発光層の構造としては、ダブルヘテロ構造、単一量子井戸構造（ＳＱＷ）のように単一の活性層を持つ構造でもよいし、多重量子井戸構造（ＭＱＷ）のようにひとまとまりの活性層群を持つ構造でもよい。発光層は、可視光又は紫外光を発光可能である。例えば、可視光としては、少なくとも青色から赤色までの光を挙げることができる。このような発光層を含む半導体構造体としては、例えば、ＩｎｘＡｌｙＧａ１−ｘ−ｙＮ（０≦ｘ、０≦ｙ、ｘ＋ｙ≦１）を含むことができる。
【００２９】
また、発光素子３１は、半導体構造体に２以上の発光層を含むことができる。例えば、半導体構造体は、ｎ型半導体層とｐ型半導体層との間に２以上の発光層を含む構造であってもよいし、ｎ型半導体層と発光層とｐ型半導体層とが順に積層された構造が２回以上繰り返された構造であってもよい。２以上の発光層は、例えば、発光色が異なる発光層を含んでいてもよいし、発光色が同じ発光層を含んでいてもよい。なお、発光色が同じとは、使用上同じ発光色とみなせる範囲であればよく、例えば、各発光色の主波長に数ｎｍ程度のばらつきがあってもよい。発光色の組み合わせとしては適宜選択することができ、例えば２つの発光層を含む場合の組み合わせとしては、青色光と青色光、緑色光と緑色光、赤色光と赤色光、紫外光と紫外光、青色光と緑色光、青色光と赤色光、又は緑色光と赤色光などが挙げられる。
【００３０】
被覆部材３３は、例えば、光拡散材を含む樹脂材料であり、発光素子３１の下部の周囲に配置されている。具体的には、被覆部材３３は、光拡散材として酸化チタン、シリカ、アルミナ、酸化亜鉛又はガラス等を含むシリコーン樹脂又はエポキシ樹脂等を用いることができる。面状光源１には、例えば半田等の接合部材４０が設けられている。接合部材４０は、発光素子３１の正負一対の電極を配線基板２００の接続層２０３に接続しているが、接続層２０３を介さずに配線層２０２に接続してもよい。
【００３１】
第２透光性部材３４は、発光素子３１の上部の周囲、及び、発光素子３１の上方に配置されている。第２透光性部材３４は、透光性の樹脂材料からなり、蛍光体を含んでいてもよく、含んでいなくてもよい。第２透光性部材３４に用いられる樹脂材料としては、例えば、エポキシ樹脂、シリコーン樹脂又はこれらを混合した樹脂等を用いることができる。第２透光性部材３４が蛍光体を含む場合は、第２透光性部材３４は波長変換層となる。
【００３２】
蛍光体としては、イットリウム・アルミニウム・ガーネット系蛍光体（例えば、Ｙ３（Ａｌ，Ｇａ）５Ｏ１２：Ｃｅ）、ルテチウム・アルミニウム・ガーネット系蛍光体（例えば、Ｌｕ３（Ａｌ，Ｇａ）５Ｏ１２：Ｃｅ）、テルビウム・アルミニウム・ガーネット系蛍光体（例えば、Ｔｂ３（Ａｌ，Ｇａ）５Ｏ１２：Ｃｅ）、βサイアロン蛍光体（例えば、（Ｓｉ，Ａｌ）３（Ｏ，Ｎ）４：Ｅｕ）、αサイアロン蛍光体（例えば、Ｍｚ（Ｓｉ，Ａｌ）１２（Ｏ，Ｎ）１６（但し、０＜ｚ≦２であり、ＭはＬｉ、Ｍｇ、Ｃａ、Ｙ、及びＬａとＣｅを除くランタニド元素））、ＣＡＳＮ系蛍光体（例えば、ＣａＡｌＳｉＮ３：Ｅｕ）若しくはＳＣＡＳＮ系蛍光体（例えば、（Ｓｒ，Ｃａ）ＡｌＳｉＮ３：Ｅｕ）等の窒化物系蛍光体、ＫＳＦ系蛍光体（例えば、Ｋ２ＳｉＦ６：Ｍｎ）若しくはＭＧＦ系蛍光体（例えば、３．５ＭｇＯ・０．５ＭｇＦ２・ＧｅＯ２：Ｍｎ）等のフッ化物系蛍光体、又は、量子ドット蛍光体等を用いることができる。
【００３３】
また、第２透光性部材３４は、複数種類の蛍光体を含んでいてもよく、例えば、青色の光を吸収して黄色の光を放射する蛍光体と、青色の光を吸収して赤色の光を放射する蛍光体を含むことにより、光源３０から例えば白色の光を出射させることができる。また、第２透光性部材３４は、遮光しない程度に光拡散材を含んでいてもよい。第２透光性部材３４に含有される光拡散材の含有率は、発光素子３１から出射した光に対する第２透光性部材３４の透過率が５０％以上９９％以下、好ましくは７０％以上９０％以下となるように調整することができる。光拡散材としては、例えば、酸化チタン、シリカ、アルミナ、酸化亜鉛又はガラス等を用いることができる。
【００３４】
第２光調整部材３５は、第２透光性部材３４の上面に配置されている。第２光調整部材３５は、第１光調整部材２６と同様に、例えば、光拡散材を含む樹脂材料又は金属材料等の光を反射する材料により形成されている。第２光調整部材３５は、第２透光性部材３４から入射した光の一部を反射し、他の一部を透過させる。発光素子３１から出射した光に対する第２光調整部材３５の透過率が十分に低い場合、例えば１％以上５０％以下、好ましくは３％以上３０％以下の場合は、第２光調整部材３５は遮光膜となり、光源３０直上の輝度が高くなりすぎることを回避できる。
【００３５】
光調整孔２３も、区画溝２１と同様に、導光部材２０の上面２０ａに形成されていてもよく、下面２０ｂに形成されていてもよく、導光部材２０をＺ方向に貫通していてもよく、貫通溝の一部が塞がった形状であってもよく、導光部材２０の上面２０ａ及び下面２０ｂに到達しない中空状であってもよい。本実施形態においては、例えば、光調整孔２３は導光部材２０の上面２０ａに形成されている。すなわち、光調整孔２３は、導光部材２０の上面２０ａに到達し、導光部材２０の下面２０ｂから離れている。
【００３６】
本明細書において、「孔」とは、凹部及び貫通孔の総称である。すなわち、「孔」は、それが形成された本体（例えば、導光部材２０）を貫通していない凹部と、貫通した貫通孔の双方を含む。また、「孔」は形状も限定されない。すなわち、上面視で一方向に延びる溝のようなアスペクト比が高い形状と、上面視で円又は多角形のようなアスペクト比が低い形状と、その中間の規則的又は不規則的な形状の全てを含む。さらに、「孔」は、内部の構造も任意である。すなわち、「孔」には、内部が空気層であるものと、何らかの部材が意図的に設けられているものと、意図しない物質が侵入しているものが含まれる。
【００３７】
光調整孔２３内に後述する透光性材料を配置する場合は、光調整孔２３の開口幅は、透光性材料の配置が容易となるような幅とすることが好ましい。また、光調整孔２３は、導光部材２０の厚み方向において、任意の割合を占めることができる。例えば、光源３０から出射した光のうち、発光領域Ｒの角部に向かう光を増やしたい場合は、光調整孔２３は、導光部材２０の厚みの１５％以上を占めることが好ましく、２５％以上がさらに好ましく、５０％以上が特に好ましい。
【００３８】
光調整孔２３の内部は空気層であってもよく、透光性材料が配置されていてもよい。透光性材料が配置されている場合は、その屈折率は導光部材２０の屈折率よりも低いことが好ましい。透光性材料に用いられる樹脂としては、アクリル樹脂、ポリカーボネート樹脂、環状ポリオレフィン樹脂、ポリエチレンテレフタレート樹脂若しくはポリエステル樹脂等の熱可塑性樹脂、又は、エポキシ樹脂若しくはシリコーン樹脂等の熱硬化性樹脂が挙げられる。また、透光性材料には光拡散材を含有させることができる。光拡散材としては、酸化チタン、シリカ、アルミナ、酸化亜鉛又はガラス等の公知の材料を用いることができる。透光性材料は、光調整孔２３の内面に沿って層状に設けられていてもよく、光調整孔２３の内部に埋め込まれていてもよい。本実施形態においては、例えば、光調整孔２３の内部は空気層である。このため、光調整孔２３の内部の屈折率は導光部材２０の屈折率よりも低い。
【００３９】
次に、光調整孔２３の平面配置について説明する。
以下、説明の便宜上、発光領域Ｒ内に、仮想的な第１直線Ｌ１及び第２直線Ｌ２を設定する。第１直線Ｌ１は、上面視で、光源３０の中心３０ｃと、区画溝２１における光源３０の中心３０ｃから最も遠い部分２１ｂとを結ぶ直線である。上面視で、発光領域Ｒの形状が多角形である場合は、第１直線Ｌ１は、光源３０の中心３０ｃと発光領域Ｒの角部とを結ぶ直線であってもよい。第２直線Ｌ２は、上面視で、光源３０の中心３０ｃと、区画溝２１における光源３０の中心３０ｃから最も近い部分２１ｃとを結ぶ直線である。
【００４０】
なお、「光源の中心」とは、上面視における光源３０の幾何学的な重心であり、例えば、光源３０の形状が矩形である場合は、中心３０ｃは光源３０の対角線の交点である。「区画溝における光源の中心から最も遠い部分２１ｂ」とは、その光源３０を囲む区画溝２１のうち、光源３０の中心３０ｃから最も遠い部分であり、他の光源３０のみを囲む区画溝２１は考慮しない。発光領域Ｒの形状が矩形である場合、最も遠い部分２１ｂは区画溝２１の角部である。上面視で、発光領域Ｒの形状が矩形であり、光源３０の中心３０ｃが発光領域Ｒの中心と一致する場合は、第１直線Ｌ１及び第２直線Ｌ２は４本ずつ存在する。
【００４１】
上面視で、光調整孔２３は第１直線Ｌ１と交差する位置に設けられている。本実施形態においては、光調整孔２３は第２直線Ｌ２上には配置されていない。発光領域Ｒの形状は上面視で矩形であり、光調整孔２３は、光源３０と発光領域Ｒの各角部との間にそれぞれ設けられている。
【００４２】
上面視で、各光調整孔２３の形状は、平凹型の凹レンズ状である。より詳細には、各光調整孔２３は、光源３０側に位置する第１側面２３ａと、第１側面２３ａの反対側に位置する第２側面２３ｂと、を有する。第２側面２３ｂは区画溝２１の部分２１ｂ側に位置する。そして、第１側面２３ａは第１直線Ｌ１に直交する平面であり、第２側面２３ｂは光調整孔２３の内部に向けて凹むように湾曲した凹面である。このような第２側面２３ｂの曲率は、例えば、０．３以上１．３以下が好ましく、さらに好ましくは０．３５以上１．０以下である。
【００４３】
第１直線Ｌ１に平行な第１方向Ｖにおいて、第１直線Ｌ１上における光調整孔２３の幅Ｗ１は、第１直線Ｌ１から離れた位置Ｐ１における光調整孔２３の幅Ｗ２よりも小さい。すなわち、Ｗ１＜Ｗ２である。幅Ｗ１は、例えば、第１方向Ｖにおける光調整孔２３の幅の最小値である。また、第２側面２３ｂの一部の法線Ｎ２は、第１方向Ｖに対して傾斜している。
【００４４】
次に、本実施形態に係る面状光源の動作について説明する。
図２においては、光の軌跡Ｔのいくつかの例を示している。
配線基板２００を介して光源３０に電力が供給されると、光源３０が発光する。光源３０から出射した光は、第１透光性部材２５を介して導光部材２０内に導入され、導光部材２０の上面２０ａと下面２０ｂで反射されながら、導光部材２０内を伝播していく。
【００４５】
導光部材２０内を伝播する光の一部は、光調整孔２３に到達する。光調整孔２３の内部の屈折率は導光部材２０の屈折率よりも低く、光調整孔２３の形状は凹レンズ状であるため、光調整孔２３においては通常の凸レンズに類似した光学的作用が生じ、光調整孔２３を通過した光は集光される。これにより、光調整孔２３を透過した光は、第１直線Ｌ１に近づく方向に屈折し、発光領域Ｒの角部付近に集光される。この結果、発光領域Ｒの角部の明るさが増加し、発光領域Ｒ内の輝度ムラが軽減される。そして、光が区画溝２１に到達すると、区画溝２１によってそれ以上の伝播を阻止される。このため、隣の発光領域Ｒに光が漏洩することが抑制される。
【００４６】
次に、本実施形態の効果について説明する。
本実施形態においては、導光部材２０に区画溝２１が形成されており、発光モジュール１００の発光面が複数の発光領域Ｒに区画されている。また、発光領域Ｒ内に光源配置部２２が形成され、ここに光源３０が配置されている。光源３０から出射した光の大部分は、区画溝２１に到達するまでの間に、導光部材２０の上面２０ａから外部に出射する。したがって、光源３０から出射した光の大部分は、その光源３０が位置する発光領域Ｒから発光モジュール１００外に出射する。これにより、発光領域Ｒ毎に発光強度を制御することができる。この結果、本実施形態に係る面状光源を例えば液晶ディスプレイの光源として使用したときに、コントラストが高い画像表示が可能となる。
【００４７】
また、本実施形態においては、光調整孔２３によって光を屈折させることができる。発光領域Ｒの角部は光源３０から離れているため、仮に、光調整孔２３が設けられていないと、発光領域Ｒの角部は暗くなりやすい。そこで、本実施形態においては、第１直線Ｌ１と交差する位置に光調整孔２３を形成している。これにより、第１直線Ｌ１の近傍を伝播していた光の一部が、光調整孔２３によって発光領域Ｒの角部の近傍に集光される。この結果、発光領域Ｒの角部が明るくなり、発光領域Ｒ内の輝度ムラを軽減することができる。
【００４８】
＜第２の実施形態＞
次に、第２の実施形態について説明する。
図４は、本実施形態に係る面状光源の１つの発光領域を示す上面図である。
【００４９】
図４に示すように、本実施形態に係る面状光源２においても、光調整孔２３の形状は上面視で凹レンズ状である。但し、第１の実施形態と比較して、各光調整孔２３の向きが逆になっている。すなわち、光調整孔２３の第１側面２３ａは、光調整孔２３の内部に向けて凹むように湾曲した凹面である。また、光調整孔２３の第２側面２３ｂは、第１直線Ｌ１に直交した平坦面である。
【００５０】
上面視で、光調整孔２３は第１直線Ｌ１と交差し、第２直線Ｌ２から離れている。第１直線Ｌ１に平行な第１方向Ｖにおいて、第１直線Ｌ１上における光調整孔２３の幅Ｗ１は、第１直線Ｌ１から離れた位置Ｐ１における光調整孔２３の幅Ｗ２よりも小さい。幅Ｗ１は、例えば、第１方向Ｖにおける光調整孔２３の幅の最小値である。また、第１側面２３ａの一部の法線Ｎ１は、第１方向Ｖに対して傾斜している。本実施形態によっても、第１の実施形態と同様な効果を得ることができる。本実施形態における上記以外の構成、動作及び効果は、第１の実施形態と同様である。
【００５１】
＜第３の実施形態＞
次に、第３の実施形態について説明する。
図５は、本実施形態に係る面状光源の１つの発光領域を示す上面図である。
【００５２】
図５に示すように、本実施形態に係る面状光源３は、第１の実施形態に係る面状光源１と比較して、光調整孔２３の第１側面２３ａが、光調整孔２３の外部に向けて凸状に湾曲した凸面である点が異なっている。第１側面２３ａの曲率は、第２側面２３ｂの曲率よりも小さい。このため、上面視で、光調整孔２３の形状は凹メニスカス型の凹レンズ状である。
【００５３】
上面視で、光調整孔２３は第１直線Ｌ１と交差し、第２直線Ｌ２から離れている。第１直線Ｌ１に平行な第１方向Ｖにおいて、第１直線Ｌ１上における光調整孔２３の幅Ｗ１は、第１直線Ｌ１から離れた位置Ｐ１における光調整孔２３の幅Ｗ２よりも小さい。幅Ｗ１は、例えば、第１方向Ｖにおける光調整孔２３の幅の最小値である。また、第１側面２３ａの一部の法線Ｎ１及び第２側面２３ｂの一部の法線Ｎ２は、第１方向Ｖに対して傾斜している。本実施形態における上記以外の構成、動作及び効果は、第１の実施形態と同様である。
【００５４】
＜第４の実施形態＞
次に、第４の実施形態について説明する。
図６は、本実施形態に係る面状光源の１つの発光領域を示す上面図である。
【００５５】
図６に示すように、本実施形態に係る面状光源４においては、上面視で、光調整孔２３の形状が両凹型の凹レンズ状である。すなわち、光調整孔２３の第１側面２３ａ及び第２側面２３ｂは、共に光調整孔２３の内部に向けて凹むように湾曲した凹面である。本実施形態における上記以外の構成、動作及び効果は、第１の実施形態と同様である。
【００５６】
＜第５の実施形態＞
次に、第５の実施形態について説明する。
図７は、本実施形態に係る面状光源の１つの発光領域を示す上面図である。
【００５７】
図７に示すように、本実施形態に係る面状光源５においては、各発光領域Ｒに１つの光調整孔２３が設けられている。上面視で、光調整孔２３の形状は光源配置部２２を囲む円環状である。光調整孔２３においては、第１直線Ｌ１と交差する部分に凹レンズ状部分２３ｓが設けられており、第２直線Ｌ２と交差する部分に連結部分２３ｔが設けられている。本実施形態においては、凹レンズ状部分２３ｓ及び連結部分２３ｔはそれぞれ４ヶ所設けられており、光調整孔２３の周方向に沿って交互に配列されており、一体的に形成されている。
【００５８】
各凹レンズ状部分２３ｓの形状は、第２の実施形態において説明した光調整孔２３の形状と同様である。このため、凹レンズ状部分２３ｓにおいては、通常の凸レンズに類似した光学的作用が生じる。一方、連結部分２３ｔの幅は、略均一である。このため、連結部分２３ｔにおいては、光学的作用が実質的に生じない。例えば、連結部分２３ｔが第２直線Ｌ２と交差する部分の第２直線Ｌ２に平行な方向における幅は、凹レンズ状部分２３ｓが第１直線Ｌ１と交差する部分の第１方向Ｖにおける幅よりも小さい。本実施形態における上記以外の構成、動作及び効果は、第１の実施形態と同様である。
【００５９】
以下、上述の各実施形態に共通する変形例について説明する。
後述する第１〜第４の変形例は、区画溝２１、光源配置部２２及び光調整孔２３の上下方向の形状についての変形例である。第５の変形例は、配線基板２００を設けない例である。第６〜第１１の変形例は、光源３０についての変形例である。以下の変形例を示す図は模式的なものであり、適宜省略又は簡略化されている。上述の各実施形態及び後述する各変形例は、任意に組み合わせて実施することができる。
【００６０】
＜第１の変形例＞
図８は、本変形例に係る面状光源を示す断面図である。
図８に示すように、本変形例に係る面状光源１１においては、区画溝２１及び光調整孔２３が導光部材２０の上面２０ａに形成されている。すなわち、区画溝２１及び光調整孔２３は、導光部材２０の上面２０ａに到達し、下面２０ｂから離れている。
【００６１】
区画溝２１内には、光反射性材料を含む区画部材２１ａが充填され、区画溝２１内全体が区画部材２１ａに埋め込まれている。光調整孔２３内には、透光性材料、例えば、透明樹脂からなる透光性部材２３ｅが充填され、光調整孔２３内全体が透光性部材２３ｅに埋め込まれている。透光性部材２３ｅの屈折率は導光部材２０の屈折率よりも低い。区画部材２１ａの上端及び透光性部材２３ｅの上端は、導光部材２０の上面２０ａよりも上方に位置している。光源配置部２２は、導光部材２０の下面２０ｂに形成された凹部である。光源配置部２２内には、第１透光性部材２５が埋め込まれていてもよく、空気層であってもよい。また、本変形例においては、区画溝２１及び光調整孔２３のそれぞれについて、内側面の間隔が上方に向かうほど広くなる例を示したが、これには限定されない。区画溝２１及び光調整孔２３の内側面の間隔は、それぞれ、下方に向かうほど広くなってもよく、内側面がＺ方向に略平行であってもよい。
【００６２】
＜第２の変形例＞
図９は、本変形例に係る面状光源を示す断面図である。
図９に示すように、本変形例に係る面状光源１２においては、区画溝２１及び光調整孔２３が導光部材２０の下面２０ｂに形成されている。すなわち、区画溝２１及び光調整孔２３は、導光部材２０の上面２０ａから離れており、下面２０ｂに到達している。区画溝２１内及び光調整孔２３内は、空気層となっている。光源配置部２２は、導光部材２０の下面２０ｂに形成された凹部である。光源配置部２２内には、第１透光性部材２５が埋め込まれていてもよく、空気層であってもよい。図９には、区画溝２１及び光調整孔２３の内側面がＺ方向に略平行である例を示しているが、これには限定されない。区画溝２１の内側面の間隔及び光調整孔２３の内側面の間隔は、それぞれ、上方に向かうほど広くなっていてもよく、下方に向かうほど広くなっていてもよい。
【００６３】
＜第３の変形例＞
図１０は、本変形例に係る面状光源を示す断面図である。
図１０に示すように、本変形例に係る面状光源１３においては、区画溝２１及び光調整孔２３が導光部材２０を上下方向（Ｚ方向）に貫通している。すなわち、区画溝２１及び光調整孔２３は、導光部材２０の上面２０ａ及び下面２０ｂの双方に到達している。区画溝２１内及び光調整孔２３内は、空気層となっている。区画溝２１及び光調整孔２３は、一部が塞がっていてもよい。光源配置部２２も、導光部材２０を上下方向（Ｚ方向）に貫通している。光源配置部２２内には、第１透光性部材２５が埋め込まれている。第１透光性部材２５上には、第１光調整部材２６が設けられている。なお、第１透光性部材２５及び第１光調整部材２６は設けられていなくてもよく、第１透光性部材２５は設けられ第１光調整部材２６は設けられていなくてもよい。図１０には、導光部材２０をＺ方向に貫通した区画溝２１及び光調整孔２３の内側面が、それぞれＺ方向に略平行である例を示しているが、これには限定されない。区画溝２１の内側面の間隔及び光調整孔２３の内側面の間隔は、それぞれ、上方に向かうほど広くなってもよく、下方に向かうほど広くなってもよい。
【００６４】
＜第４の変形例＞
図１１は、本変形例に係る面状光源を示す断面図である。
図１１に示すように、本変形例に係る面状光源１４においては、区画溝２１及び光調整孔２３が導光部材２０の内部に形成されている。すなわち、区画溝２１及び光調整孔２３は、導光部材２０の上面２０ａ及び下面２０ｂの双方から離れている。区画溝２１内及び光調整孔２３内は、空気層となっている。光源配置部２２は、導光部材２０を上下方向（Ｚ方向）に貫通している。
【００６５】
このような導光部材２０は、上面に区画溝２１の下部となる凹部、光調整孔２３の下部となる凹部、及び、光源配置部２２の下部となる貫通孔が形成された下部導光板と、下面に区画溝２１の上部となる凹部、光調整孔２３の上部となる凹部、及び、光源配置部２２の上部となる貫通孔が形成された上部導光板を貼り合わせることにより、形成することができる。光源配置部２２内には、第１透光性部材２５が埋め込まれている。第１透光性部材２５上には、第１光調整部材２６が設けられている。
【００６６】
＜第５の変形例＞
図１２は、本変形例に係る発光モジュールを示す断面図である。
【００６７】
図１２に示すように、本変形例に係る発光モジュール１１５においては、配線基板２００が設けられていない。導光部材２０において、光源配置部２２は、導光部材２０の下面２０ｂに形成された凹部である。光源３０は光源配置部２２内に配置されており、光源配置部２２内における光源３０と導光部材２０の間の空間には、固定部材２９が充填されている。固定部材２９は、例えば、透光性の樹脂材料からなる。光源３０は固定部材２９を介して導光部材２０に固定されている。
【００６８】
区画溝２１は導光部材２０の下面２０ｂに形成されており、内部に区画部材２１ａが設けられている。区画部材２１ａは光源配置部２２に到達している。区画部材２１ａの下面には一対の配線１２０が設けられている。一対の配線１２０は、一対の外部電極部材２１０を介して、光源３０の発光素子３１の正負一対の電極に電気的に接続されている。光調整孔２３は、導光部材２０の上面２０ａに形成されている。導光部材２０の上面２０ａにおける光源配置部２２の直上域を含む領域には、凹部１２１が形成されている。凹部１２１内には第１光調整部材２６が設けられていてもよく、設けられていなくてもよい。
【００６９】
本変形例に係る発光モジュール１１５は、外部基板（図示せず）に搭載されることにより、面状光源を構成する。そして、外部基板から光源３０に電力が供給される。
【００７０】
＜第６の変形例＞
図１３Ａは、本変形例における光源を示す断面図である。
図１３Ａに示すように、本変形例における光源３０Ａにおいては、発光素子３１、被覆部材３３、第２透光性部材３４が設けられている。一対の外部電極部材２１０が、発光素子３１の第１面３１ａに設けられた正負一対の電極に接続される。被覆部材３３は、発光素子３１の第１面３１ａの下方であって、外部電極部材２１０の周囲に配置されている。第２透光性部材３４は、発光素子３１の側面３１ｃ及び第２面３１ｂを覆っている。第２透光性部材３４は、蛍光体を含む波長変換層とすることができる。
【００７１】
＜第７の変形例＞
図１３Ｂは、本変形例における光源を示す断面図である。
図１３Ｂに示すように、本変形例における光源３０Ｂは、第６の変形例に係る光源３０Ａと比較して、被覆部材３３が発光素子３１の側面３１ｃを覆っている点、第２透光性部材３４が発光素子３１の第２面３１ｂ上に配置されている点、及び、第２透光性部材３４上に第２光調整部材３５が設けられている点が異なっている。第２光調整部材３５の透過率が十分に低い場合は、第２光調整部材３５は遮光膜となる。
【００７２】
＜第８の変形例＞
図１３Ｃは、本変形例における光源を示す断面図である。
図１３Ｃに示すように、本変形例における光源３０Ｃは、第７の変形例に係る光源３０Ｂと比較して、第２光調整部材３５が設けられていない点が異なっている。
【００７３】
＜第９の変形例＞
図１４Ａは、本変形例における光源を示す断面図である。
図１４Ａに示すように、本変形例における光源３０Ｄは、第６の変形例に係る光源３０Ａと比較して、被覆部材３３及び第２透光性部材３４が設けられていない点、並びに、遮光層３６が設けられている点が異なっている。遮光層３６は、発光素子３１の第２面３１ｂ上に設けられている。遮光層３６は、例えば金属層又は分布ブラッグ反射膜（Distributed Bragg Reflector：ＤＢＲ）である。遮光層３６は光拡散材が含まれた樹脂であってもよい。
【００７４】
＜第１０の変形例＞
図１４Ｂは、本変形例における光源を示す断面図である。
図１４Ｂに示すように、本変形例における光源３０Ｅは、第６の変形例に係る光源３０Ａと比較して、第２透光性部材３４の替わりに透光層３７が設けられている点、及び、遮光膜３８が設けられている点が異なっている。透光層３７は、例えば、透明な樹脂材料からなる。透光層３７には、例えば、蛍光体が実質的に含まれていない。透光層３７には、光拡散材が含まれていてもよい。遮光膜３８は透光層３７上に設けられている。遮光膜３８は、例えば金属層又は分布ブラッグ反射膜である。遮光膜３８は光拡散材が含まれた樹脂であってもよい。
【００７５】
＜第１１の変形例＞
図１４Ｃは、本変形例における光源を示す断面図である。
図１４Ｃに示すように、本変形例における光源３０Ｆは、第１０の変形例に係る光源３０Ｅと比較して、被覆部材３３が発光素子３１の側面３１ｃを覆っている点、及び、透光層３７が発光素子３１の第２面３１ｂ上に配置されている点が異なっている。
【００７６】
なお、上述の各実施形態及び変形例においては、導光部材２０が板状である例を示したが、これには限定されず、導光部材２０は、光源３０を被覆するように形成された層状であってもよい。また、導光部材２０は複数の層が積層されたものでもよく、発光領域Ｒ毎に設けられたブロック状のものでもよい。また、光源３０には複数の発光素子が含まれていてもよい。更に、発光領域Ｒの形状は矩形には限定されず、例えば、三角形又は六角形等の矩形以外の多角形であってもよい。
【符号の説明】
【００７７】
１、２、３、４、５、１１、１２、１３、１４：面状光源
２０：導光部材
２０ａ：上面
２０ｂ：下面
２１：区画溝
２１ａ：区画部材
２１ｂ：区画溝における光源の中心から最も遠い部分
２１ｃ：区画溝における光源の中心から最も近い部分
２２：光源配置部
２３：光調整孔
２３ａ：第１側面
２３ｂ：第２側面
２３ｅ：透光性部材
２３ｓ：凹レンズ状部分
２３ｔ：連結部分
２５：第１透光性部材
２６：第１光調整部材
２７：第１光反射性部材
２９：固定部材
３０、３０Ａ、３０Ｂ、３０Ｃ、３０Ｄ、３０Ｅ、３０Ｆ：光源
３０ｃ：光源の中心
３１：発光素子
３１ａ：第１面
３１ｂ：第２面
３１ｃ：側面
３３：被覆部材
３４：第２透光性部材
３５：第２光調整部材
３６：遮光層
３７：透光層
３８：遮光膜
４０：接合部材
１００、１１５：発光モジュール
１２０：配線
１２１：凹部
２００：配線基板
２０１：母材
２０２：配線層
２０３：接続層
２０５：接着シート
２０６：光反射性シート
２１０：外部電極部材
Ｌ１：第１直線
Ｌ２：第２直線
Ｎ１、Ｎ２：法線
Ｐ１：第１位置
Ｒ：発光領域
Ｔ：光の軌跡
Ｖ：第１方向
Ｗ１、Ｗ２：幅
【要約】
【課題】発光領域内の輝度ムラを軽減できる発光モジュール及び面状光源を提供する。
【解決手段】発光モジュール１００は、導光部材２０と、光源３０と、を備える。導光部材２０は、発光領域Ｒを区画する区画溝２１と、発光領域Ｒ内に設けられる光源配置部２２と、上面視で区画溝２１と光源配置部２２との間に設けられる光調整孔２３と、を有する。光調整孔２３の内部の屈折率は導光部材２０の屈折率よりも低い。上面視で、光調整孔２３は、区画溝２１における光源３０の中心３０ｃから最も遠い部分２１ｂと光源３０の中心３０ｃとを結ぶ第１直線Ｌ１と交差する位置にある。第１方向Ｖにおいて、第１直線Ｌ１上における光調整孔２３の幅Ｗ１は、第１直線Ｌ１から離れた位置Ｐ１における光調整孔２３の幅Ｗ２よりも小さい。
【選択図】図３【図１】
0006912748.tif 000002
【図２】
0006912748.tif 000003
【図３】
0006912748.tif 000004
【図４】
0006912748.tif 000005
【図５】
0006912748.tif 000006
【図６】
0006912748.tif 000007
【図７】
0006912748.tif 000008
【図８】
0006912748.tif 000009
【図９】
0006912748.tif 000010
【図１０】
0006912748.tif 000011
【図１１】
0006912748.tif 000012
【図１２】
0006912748.tif 000013
【図１３Ａ】
0006912748.tif 000014
【図１３Ｂ】
0006912748.tif 000015
【図１３Ｃ】
0006912748.tif 000016
【図１４Ａ】
0006912748.tif 000017
【図１４Ｂ】
0006912748.tif 000018
【図１４Ｃ】
0006912748.tif 000019